(57)【要約】【課題】しおり本体に広告・宣伝文を記載する事が出来、その広告が読者が読書をしている間中、読者の目にとまる位置にあり、本の開閉に伴いしおりがページから起き上がったりページ内に挟み込まれたり出来るようにする。【解決手段】一枚の厚紙（又はプラスチック）から切り落とし片１、２を切り落とし、切り込み線４、５にそってしおり本体の幅が本の厚み程度となるよう切り込みを入れしおり本体１１を切りだし、山折り線６、７にそって本に固定する部分となる固定部１２、１３を山折り側に折り返し、谷折り線８及び谷折り線９、１０にそれぞれ谷折りを設けたしおりとし、本の表紙、裏表紙のそれぞれ裏側に貼り付けた筒状紙２１に固定部を差し込んで固定する事によって、本を閉じると折りたたまれてページの間に挟まり、本を開くと上部に起き上がり、広告・宣伝文１５が記載されたしおり本体裏面１４を読者の目にとまることが出来るようにした。【選択図】図１
2005131794.tif 000002
【特許請求の範囲】
【請求項１】
一枚の厚紙（又はプラスチック）から、切り落とし片１を切り落とし、切り落とし片２の面積内における任意の切り落とし曲線３を通る線で切り落とし片２を切り落とし切り込み線４、５にそって切り込みを入れ、山折り線６、７にそって本に固定する部分となる固定部１２、１３を山折り側に折り返し、谷折り線８及び谷折り線９，１０にそれぞれ谷折りを設け、固定部１２、１３を本の表紙、裏表紙のそれぞれ裏側に固定する事で本を開くと、しおり本体１１が本の上部に起き上がり、本を閉じるとしおり本体１１が本のページの間に挟み込まれる事を特徴とするしおり。
【請求項２】
本を開くとしおり本体１１が起き上がり、読者側に露出するしおり本体裏面１４に広告・宣伝文１５を記載しておき、読者が本を開いて本を読んでいる間広告が見える状態にできる広告媒体としてのしおり。
【請求項３】
固定部１２、１３を差し込める幅をもつ筒状紙２１の裏面を本の表紙、裏表紙のそれぞれ裏側に貼り付け、固定部１２、１３を筒状紙２１に差し込む事によりしおりと本を一体化させる方法。
【請求項４】
本に挟み込まれる部分であるしおり本体１１を切り込み線４、５により切り出す事でしおり本体１１の全幅を本の厚み程度にすることにより、本の始めの方のページや、終わりの方のページにも挟み込まれやすくなったしおり。
【発明の詳細な説明】
【技術分野】
【０００１】
本発明は、本に固定され、本を閉じるとしおり本体がページの間に挟まれ本を開くとしおり本体が本の上部に起き上がり、その面が読書の間中、読者の目にとまるようにすることが出来るしおりに関するものである。
【背景技術】
【０００２】
従来のしおりには、本に紙片をはさむものや、本の背表紙上部に付けられたひも状のものが一般的である。また、バインダーや手帳に設置しその開閉に伴い自動で挟み込まれるものがある。（例えば、特許文献１参照。）
【特許文献１】特開２００２−１１３９７７
【発明の開示】
【発明が解決しようとする課題】
【０００３】
従来技術には次のような問題点がある。
【０００４】
従来の紙片のしおりは本に固定されたものではなく、読書中は不要であるため紛失し易い。
【０００５】
また、読書中は読者にとって不要のものであるため、しおりを取り出すときと挟み込むとき以外は読者の目にとまりにくく、しおりに広告等が記載されていてもそれを読者が見る時間は短い。
【０００６】
従来のひも状のしおりは本に固定されたものであるが、その形状のため広告や宣伝文等を記載する事が出来ない。
【０００７】
従来の紙片のしおりもひも状のしおりも本を読む前に手でしおりをはずし読書を中断する際毎に、しおりを手で挟みこむ手間が必要であった。
【０００８】
従来の自動で挟み込まれるしおりはしおり本体の幅全体に折り線が施されているため、挟み込みたいページが本の始めの方であったり、終わりの方であったりすると自動で挟み込む事が困難になる。
【０００９】
本発明のしおりを本に固定する際、両面テープやのりなどで直接貼り付けると、最後まで読み終わった後しおりが邪魔になったり、必要なくなったしおりを取り外す際に本を傷めてしまう恐れがある。
【課題を解決するための手段】
【００１０】
本発明は課題を解決するため、次の手段を講ずる。
【００１１】
一枚の厚紙(又はプラスチック)から切り落とし片１を切り落とし、切り落とし片２の面積内における任意の切り落とし曲線３を通る線で切り落とし片２を切り落とし、切り込み線４、５にそって切り込みを入れ、山折り線６、７にそって本に固定する部分になる固定部１２、１３を山折り側に折り返し、谷折り線８及び谷折り線９、１０にそれぞれ谷折りを設け、固定部１２、１３を本の表紙、裏表紙のそれぞれの裏側に固定する事で、本を開くとしおり本体１１が本の上部に起き上がり、本を閉じるとしおり本体１１が本のページ間に挟み込まれるしおりにした。
【００１２】
本を開くとしおり本体１１が起き上がり、読者側に露出するしおり本体裏面１４に予め広告・宣伝文１５を記載しておき、読者が本を開いて読書をしている間、広告が見える状態に出来るようにした。
【００１３】
固定部１２，１３を差し込むことが出来る幅を持つ筒状紙２１の裏面を本の表紙、裏表紙のそれぞれの裏側に貼り付け、固定部１２、１３を筒状紙２１に差し込むことにより、しおりを本に固定する手段を講じた。
【００１４】
本に挟み込まれる部分であるしおり本体１１を切り込み線４、５により切り出す事により、しおり本体１１の全幅を本の厚み程度と細くすることにより、本の始めの方のページや終わりの方のページにも挟み込まれやすくした。
【発明の効果】
【００１５】
本発明により、以下の効果が得られる。
【００１６】
本に固定されているため読書中何処にしおりを置いたか忘れる心配がなく、紛失しない。
【００１７】
本を開くとしおり本体が本の上部に起き上がり、しおり本体裏面１４が常に読書中の読者の正面に露出しているため、しおり本体裏面１４に記載された広告・宣伝文１５を読書中、読者の視界におくことが出来る。
【００１８】
読書を始めるときしおりを本からはずしたり、読書を終えるとき中断したページにしおりを挟み込むという手間が省ける。
【００１９】
起き上がったり、挟み込まれたりするしおり本体１１の幅を、本の厚み程度に細くする事で、本の始めの方のページにも終わりの方のページにも、容易に挟み込めるようになる。
【００２０】
筒状紙２１のみを本に貼り付けるため、最後まで読み終わり不必要になったしおりは容易に抜き取る事が出来るので本を傷める事がない。
【発明を実施するための最良の形態】
【００２１】
本発明の最良の形態は、一枚の厚紙から切り落とし片１を切り落とし、切り落とし片２の面積内における任意の切り落とし曲線３を通る線で切り落とし片２を切り落とししおり本体１１の形を広告主等の目的にあった形とし、切り込み線４、５にそって切り込みを入れしおり本体１１の幅を本の厚み程度に細くし、山折り線６、７にそって本に固定する部分となる固定部１２、１３を山折り側に折り返し、谷折り線８及び谷折り線９，１０にそれぞれ谷折りを設け、本の表紙、裏表紙のそれぞれ裏面に筒状紙２１を貼り付け筒状紙２１に固定部１２、１３を差し込むことにより本と一体化させ、本を閉じるとしおり本体１１がたたみ込まれてページの間に挟み込まれ、本を開いたとき本の上部に起き上がりしおり本体裏面１４が開かれ読書中の読者の視界にある状態となるしおりである。
【実施例１】
【００２２】
図１は本発明を一枚の厚紙から作成する際の展開図であり、一枚の厚紙（又はプラスチック）から切り落とし片１を切り落とし、切り落とし片２の面積内における任意の切り落とし曲線３を通る線で切り落とし片２を切り落とし、切り込み線４、５にそって切り込みを入れ、山折り線６、７にそって本に固定する部分になる固定部１２、１３を山折り側に折り返し、谷折り線８及び谷折り線９、１０にそれぞれ谷折りを設け作成する。
【実施例２】
【００２３】
図２は本が閉じられた状態でページに挟み込まれたしおりの横方向からの斜視図である。
【実施例３】
【００２４】
図３は本が開かれる際にしおりが起き上がろうとする様子の正面からの斜視図である。
【実施例４】
【００２５】
図４は本が開かれた状態のとき読者側から見たしおりの状態を表した斜視図であり、しおり本体裏面１４が開かれた状態で読者の視界に入っている。
【図面の簡単な説明】
【００２６】
【図１】しおりを作成する際の展開図である。（実施例１）
【図２】しおりの実施方法を示す斜視図である。（実施例２）
【図３】しおりの実施方法を示す斜視図である。（実施例３）
【図４】しおりの実施方法を示す斜視図である。（実施例４）
【符号の説明】
【００２７】
１    切り落とし片
２    切り落とし片
３    任意の切り落とし曲線
４    切り込み線
５    切り込み線
６    山折り線
７    山折り線
８    谷折り線
９    谷折り線
１０  谷折り線
１１  しおり本体
１２  固定部
１３  固定部
１４  しおり本体裏面
１５  広告・宣伝文
２１  筒状紙
【図１】
2005131794.tif 000003
【図２】
2005131794.tif 000004
【図３】
2005131794.tif 000005
【図４】
2005131794.tif 000006